(57)【要約】      （修正有） 【課題】現場において造作の必要がなく、排水トラップを取り出したパッケージをそのまま専用の養生シートとして使用し得、簡単且つ便利で費用がかからず、しかもパッケージを有効利用でき防護効果の高い排水トラップ施工用床面養生具を提供する。【解決手段】排水トラップを収容するパッケージ本体１の適所に、このパッケージ本体１を平面状に展開するミシン状の展開用切り離し線２を設けると共に、上記パッケージ本体１の適所にミシン状窓孔形成用切抜き線３を設ける。【選択図】図１
0003161812.tif 000002
【実用新案登録請求の範囲】
【請求項１】
排水トラップを収容するパッケージ本体の適所に、このパッケージ本体を平面状に展開するミシン状の展開用切り離し線を設けると共に、上記パッケージ本体の適所にミシン状の窓孔形成用切抜き線を設けたことを特徴とする排水トラップ施工用床面養生具。
【請求項２】
前記展開用切り離し線は、蓋部を延長突設した背面部と右側面部との接合辺に配備したものであることを特徴とする請求項１記載の排水トラップ施工用床面養生具。
【請求項３】
前記窓孔形成用切抜き線は、パッケージ本体の左側面部の面内に設けられ、床面を貫通する立上り排水管の上端部を嵌挿させる円形孔を形成するためのものであることを特徴とする請求項１記載の排水トラップ施工用床面養生具。
【考案の詳細な説明】
【技術分野】
【０００１】
この考案は、床面を貫通して立ち上がる排水管に対し、排水トラップを取付ける際に使用する排水トラップ施工用床面養生具に関する。
【背景技術】
【０００２】
現在、洗濯機の排水として、床面に施工する排水トラップと床下に施工された排水管とを接続する所謂、直付け排水システムが実施されている。この直付け排水システムでは、予め排水管の上端部が床面を貫通して立ち上げてある。一方、排水トラップの蓋板面は床面に接面状に固定される。従って、排水トラップと排水管との接続工事では、排水管の立上り上端部をカットして床面の表面高さに揃える必要があり、この施工の際の床面保護に養生具が使用されている。
【０００３】
従来、この養生具として専用のものは存在しない。通常は現場において、厚紙材やビニールなどの樹脂材、樹脂発泡材や合板材などのシート材を、排水管切断に必要な床面積を勘案して適宜大きさに裁断して使用する。
【０００４】
例えば、図５の養生シートは、土木・建築における工事箇所に使用される従来の一般的な養生シートである。このシート６２は、布、或いは厚い紙など撓み製を備えた平面シートで、面内に圧送パイプ６４を挿入する挿入口６４ａが開口してある。
【０００５】
床面６１にコンクリート６５を打設する際は、養生シート６２を鉄筋群６３の上に被覆して、挿入口６４ａから圧送パイプ６４を引き出すときに、未打設鉄筋に残余コンクリートが付着するのを防護する。
【特許文献１】特許第３９０８８７４号公報
【考案の開示】
【考案が解決しようとする課題】
【０００６】
従来の養生具は、専用タイプのものがなく、土木・建築施工現場において造作することが必要である。例えば、現場において現場環境に対応した適当な資材（例えば厚紙材、或いはビニール材など）を入手し、且つ施工現場の状況（立上り排水管の寸法や床面広さなど）を考慮して資材を適宜寸法に裁断し、且つ必要な切り欠き部或いは適正な径の孔開け作業を実施しなければならず、この作業に手間や費用がかかる。
【０００７】
また、現場において別途、作成した養生シートは、使用後は用済みとなり、ゴミとなって廃棄される。このため、養生シートは安直で造作をかけずに作製されることとなり、養生の質が落ち床面の十分な防護効果が得られない不利があった。
【０００８】
この考案は、以上のような課題を解消させ、現場において造作の必要がなく、排水トラップを取り出したパッケージをそのまま専用の養生シートとして使用し得、簡単且つ便利で費用がかからず、しかもパッケージを有効利用し得る排水トラップ施工用床面養生具を提供することを目的とする。
【課題を解決するための手段】
【０００９】
この目的を達成させるために、この考案の排水トラップ施工用床面養生具では次のような構成としている。
排水トラップ施工用床面養生具は、排水トラップを収容するパッケージ本体の適所に、このパッケージ本体を平面状に展開するミシン状の展開用切り離し線を設けると共に、上記パッケージ本体の適所にミシン状の窓孔形成用切抜き線を設けたことを特徴としている。
【考案の効果】
【００１０】
この考案では以上のように、排水トラップを収容するパッケージ本体に展開用切り離し線と窓孔形成用切抜き線とを配備することとしたから、組立て状態、つまり箱状のパッケージ本体に収容されている排水トラップを取り出し、排水トラップを施工する際は展開用切り離し線によってパッケージ本体が平面状の養生シートに変化する。
【００１１】
従って、排水トラップ施工現場において、別途シート材料を入手する必要性が解消されると共に、現場に合った養生シートを形成する手間や費用が省略できる許かりでなく、専用で防護作用の高い専用の養生シートを得るこができる。
【００１２】
更に、窓孔形成用切抜き線によって、排水管の上端部の直径に対応する窓孔（円形孔）を抜き取り状に現出させ得るから、単にこの窓孔を排水管上端部に対応させ嵌挿するだけで、排水管周辺の床面が養生シートに被覆され、完全な床面防護が実現される。
【００１３】
また、本来、排水トラップを取り出したパッケージ本体は、ゴミとして廃棄さされるものではあるが、専用の適正な養生シートとして有効利用できるなど、発明目的を達成した優れた効果を有する。
【考案を実施するための最良の形態】
【００１４】
以下、図面に基づき本考案に係る排水トラップ施工用床面養生具の具体的な実施の形態を説明する。
排水トラップ施工用床面養生具は、常態において直方体の紙製の箱体に形成され、製品である排水トラップＡが、がたつきなく適正に収容できる大きさに設定してある。
【００１５】
図１は、後述するミシン状の展開用切り離し線２によって、展開状態へ移行途中のパッケージ本体１を示す斜視図である。
パッケージ本体１の適所には、ミシン状の展開用切り離し線２とミシン状の窓孔形成用切り抜き線３とが配備してある。
【００１６】
このミシン状の展開用切り離し線２は、実施の形態では、パッケージ本体１の背面部１１と右側面部１２の接合辺に、ミシン（点線状の孔）を入れて形成してある。
【００１７】
また、上記ミシン状の窓孔形成用切り抜き線３は、実施の形態では、パッケージ本体１の左側面部１３の面内にミシンを円形状に入れて形成している。この窓孔形成用切り抜き線３は、口径を立上り排水管Ｃ上端部の直径にほぼ対応するように設定してある。
【００１８】
図２は、展開用切り離し線２によって、背面部１１と右側面部１２の接合辺を分離して展開用パッケージ本体１を平面状に展開した状態を示す斜視図である。  展開されたパッケージ本体１は、矩形状の背面部１１と左側面部１３と正面部１４と右側面部１２とが、それぞれ折り曲げ線１５を介して連続する長方形の４面が構成されている。
【００１９】
また、この連続する長方形状の４面１１、１２、１３、１４の下辺には、内向きの折り曲げ線１６を介して、底蓋部１７を構成する組み込み片１７ａ、１７ｂ、１７ｃ、１７ｄを突設している。
【００２０】
更に、上記背面部１１の上辺には折線１１ａを介して上蓋部１８を設けると共に、左側面部１３と右側面部１２の上辺には折線１３ａ、１２ａを介して中蓋（補助蓋）１９を設けている。
【００２１】
尚、図２のパッケージ本体１の展開状態において、右側面部１２の内面右端部に重合している貼着片１１ｂは、展開用切り離し線２を分離する前（立方体形状の状態）では、背面部１１の左端辺から内向き折れ線を介して外方へ突設していたものである。
【００２２】
このような構成を有する排水トラップ施工用床面養生具では、図２で示すように、展開状態のパッケージ本体１の窓孔形成用切抜き線３により、円形孔４が容易に開設する。
【００２３】
そして、図３で示すように、円形孔４に床面Ｂから上方へ立ち上がる排水管Ｃの上端部を嵌挿する状態で、パッケージ本体１を床面Ｂに被せる。このとき、排水管Ｃの突出基部の全周囲が、背面部１１及び上蓋部１８及び組込み片１７ｄと、左側面部１３及び中蓋部１９及び組込み片１７ｃと、正面部１４及び組込み片１７ｂによって完全に被覆される。
【００２４】
この被覆状態で、図４に示すように、排水管Ｃの突出上端部Ｃ１が、床面Ｂの表面高さに面一に揃うようにカットされる。これにより、床面Ｂはカット作業の危険から完全に防護される。
【００２５】
図４で示すように、カット作業が終了した時点で、この養生シート（パッケージ本体１）は、床面Ｃから取り除き、排水管Ｃの上端面を臨出させた状態で、排水トラップＡを排水管Ｃに接続する。
【図面の簡単な説明】
【００２６】
【図１】実施の形態の排水トラップ施工用床面養生具を示す斜視図である。
【図２】排水トラップ施工用床面養生具を平面状に展開した状態を示す斜視図である。
【図３】排水トラップ施工用床面養生具で床面を被覆する状態を示す斜視図である。
【図４】排水トラップ施工用床面養生具で床面をカット作業から防護する状態を示す斜視図である。
【図５】土木・建築における工事箇所に使用される従来の養生シートを示す断面図である。
【符号の説明】
【００２７】
１      パッケージ本体
２      展開用切り離し線
３      窓孔形成用切抜き線
４      円形孔
１１    背面部
１２    右側面部
１３    左側面部
Ａ      排水トラップ
Ｂ      床面
Ｃ      排水管
【図１】
0003161812.tif 000003
【図２】
0003161812.tif 000004
【図３】
0003161812.tif 000005
【図４】
0003161812.tif 000006
【図５】
0003161812.tif 000007